(57)【要約】【課題】絶縁カバーの装着性を向上できる蓄電装置を提供すること。【解決手段】絶縁カバー３５は、タブ絶縁部３６から突出し、蓋部材１５と電極接合部２８ａの間に介在する第１板部３７と、第１板部３７よりも電極組立体寄りに位置し、タブ絶縁部３６から突出し、端子接合部と電極組立体との間に介在する第２板部３８と、を備える。絶縁カバー３５は、積層方向他端側において内側絶縁部材３３の側面に係止する係止爪４０を有する。絶縁カバー３５において、第１板部３７の先端面３７ｃと、第２板部３８の先端面３８ｃとの積層方向に沿った距離をａとし、積層方向の一端側に位置する内側絶縁部材３３の端面３３ｂと、積層方向の一端側に位置する電極接合部２８ａの第３端面２８ｇとの積層方向に沿った距離をｂとすると、ａ＞ｂが成立している。【選択図】図６
2019121436.tif 000002
【特許請求の範囲】
【請求項１】
正極と負極の電極が絶縁された状態で積層され、かつ各極の前記電極から突出したタブが同じ極性同士で積層されたタブ群を有する電極組立体と、
前記電極組立体を収容するケース部材、及び前記ケース部材の開口部を閉塞する板状の蓋部材を有するケースと、
前記蓋部材に固定され、前記電極組立体と電気を授受する各極の電極端子と、
前記蓋部材の内面と、前記タブ群が存在する前記電極組立体のタブ側端面との間に配置され、同じ極性の前記タブ群と接合された電極接合部を備えるとともに、同じ極性の前記電極端子と接合された端子接合部を備える各極の導電部材と、
前記端子接合部と前記蓋部材とを絶縁する絶縁部材と、
前記タブ群と前記ケース部材とを絶縁する絶縁カバーと、
を備える蓄電装置であって、
前記絶縁カバーは、前記電極組立体における前記電極の積層方向一端側において前記タブ群と前記ケース部材との間に介在する板状のタブ絶縁部と、
前記積層方向に沿って前記タブ絶縁部から突出し、前記蓋部材と前記電極接合部の間に介在する第１板部と、
前記第１板部よりも前記電極組立体寄りに位置し、前記積層方向に沿って前記タブ絶縁部から突出し、前記端子接合部と前記電極組立体との間に介在する第２板部と、
前記積層方向他端側において前記絶縁部材に係止する係止爪と、を有し、
前記第１板部における前記タブ絶縁部からの突出方向の先端に位置する先端面と、前記第２板部における前記タブ絶縁部からの突出方向の先端に位置する先端面との前記積層方向に沿った距離をａとし、
前記積層方向の一端側に位置する前記絶縁部材の端面と、前記積層方向の一端側に位置する前記電極接合部の端面との前記積層方向に沿った距離をｂとすると、ａ＞ｂが成立していることを特徴とする蓄電装置。
【請求項２】
前記第１板部は、該第１板部の先端面から前記電極接合部に対向する面に向かって下り傾斜するガイド部を備える請求項１に記載の蓄電装置。
【請求項３】
前記蓄電装置は二次電池である請求項１又は請求項２に記載の蓄電装置。
【発明の詳細な説明】
【技術分野】
【０００１】
本発明は、タブ群とケース部材とを絶縁する絶縁カバーを備える蓄電装置に関する。
【背景技術】
【０００２】
従来から、ＥＶ（Electric Vehicle）やＰＨＶ（Plug in Hybrid Vehicle）などの車両には、走行用モータへの供給電力を蓄える蓄電装置としてリチウムイオン二次電池やニッケル水素二次電池などが搭載されている。
【０００３】
二次電池は、シート状の正極及び負極の電極が絶縁された状態で積層された電極組立体と、電極組立体を収容するケースとを備える。電極組立体は、電極の一辺の一部から突出したタブを同じ極性同士で寄せ集めたタブ群を有する。ケースは、有底筒状のケース部材と、ケース部材の開口部を閉塞する蓋部材とを有する。二次電池は、電極組立体と電気を授受する電極端子を備えるとともに、電極端子と蓋部材とを絶縁する絶縁部材を備える。なお、電極端子は、蓋部材に固定されている。二次電池は、電極端子と電極組立体のタブ群とを接続する導電部材を備えている。
【０００４】
上記のような二次電池の製造方法の一つに、蓋部材に電極端子を固定するとともに、電極端子とタブ群に導電部材を接合し、電極組立体、蓋部材、電極端子、導電部材、及びタブ群を組立部材として一体化した後、組立部材に絶縁カバーを装着する方法がある（例えば特許文献１参照）。
【０００５】
特許文献１において、二次電池が備える絶縁カバーは、蓋部材と導電部材との間を絶縁する第１絶縁部と、電極端子と電極組立体との間を絶縁する第２絶縁部とを備える。また、絶縁カバーは、第２絶縁部に係止爪を備え、この係止爪は導電部材又は絶縁部材に係止している。
【０００６】
上記絶縁カバーは、組立部材の製造後に組立部材に装着される。絶縁カバーを組立部材に装着するには、電極組立体の積層方向一端側から他端側に向けて絶縁カバーを移動させ、第１絶縁部を蓋部材と導電部材との間に差し込むとともに、第２絶縁部を電極端子と電極組立体の端面との間に差し込む。そして、係止爪を、積層方向の他端側まで移動させ、積層方向他端側における導電部材又は絶縁部材の側面に係止させることで、絶縁カバーが積層方向一端側へ移動することを規制し、組立部材から絶縁カバーが抜け出ることが抑制される。
【先行技術文献】
【特許文献】
【０００７】
【特許文献１】特開２０１７−１１７６６７号公報
【発明の概要】
【発明が解決しようとする課題】
【０００８】
ところで、特許文献１に開示の絶縁カバーにおいては、絶縁カバーを積層方向一端側から他端側へ移動させると、係止爪と、積層方向一端側における絶縁部材の側面とが干渉し、絶縁カバーの装着が行いにくい。そこで、絶縁部材と係止爪との干渉を避けるため、第１絶縁部及び第２絶縁部の先端が下を向くように傾け、係止爪を絶縁部材の下側に位置させることが考えられるが、この場合には、第１絶縁部の先端が導電部材と蓋部材との間の隙間より下方に位置し、第１絶縁部を隙間に差し込みにくくなって絶縁カバーの装着が行いにくい。
【０００９】
本発明の目的は、絶縁カバーの装着性を向上できる蓄電装置を提供することにある。
【課題を解決するための手段】
【００１０】
上記問題点を解決するための蓄電装置は、正極と負極の電極が絶縁された状態で積層され、かつ各極の前記電極から突出したタブが同じ極性同士で積層されたタブ群を有する電極組立体と、前記電極組立体を収容するケース部材、及び前記ケース部材の開口部を閉塞する板状の蓋部材を有するケースと、前記蓋部材に固定され、前記電極組立体と電気を授受する各極の電極端子と、前記蓋部材の内面と、前記タブ群が存在する前記電極組立体のタブ側端面との間に配置され、同じ極性の前記タブ群と接合された電極接合部を備えるとともに、同じ極性の前記電極端子と接合された端子接合部を備える各極の導電部材と、前記端子接合部と前記蓋部材とを絶縁する絶縁部材と、前記タブ群と前記ケース部材とを絶縁する絶縁カバーと、を備える蓄電装置であって、前記絶縁カバーは、前記電極組立体における前記電極の積層方向一端側において前記タブ群と前記ケース部材との間に介在する板状のタブ絶縁部と、前記積層方向に沿って前記タブ絶縁部から突出し、前記蓋部材と前記電極接合部の間に介在する第１板部と、前記第１板部よりも前記電極組立体寄りに位置し、前記積層方向に沿って前記タブ絶縁部から突出し、前記端子接合部と前記電極組立体との間に介在する第２板部と、前記積層方向他端側において前記絶縁部材に係止する係止爪と、を有し、前記第１板部における前記タブ絶縁部からの突出方向の先端に位置する先端面と、前記第２板部における前記タブ絶縁部からの突出方向の先端に位置する先端面との前記積層方向に沿った距離をａとし、前記積層方向の一端側に位置する前記絶縁部材の端面と、前記積層方向の一端側に位置する前記電極接合部の端面との前記積層方向に沿った距離をｂとすると、ａ＞ｂが成立していることを要旨とする。
【００１１】
これによれば、各極性の絶縁部材の端面に第２板部の突出端にある係止爪が干渉する前に、電極接合部と蓋部材との間に第１板部を差し込むことができる。よって、係止爪と絶縁部材との干渉を回避するために絶縁カバーを傾ける必要がなく、絶縁カバーを傾けることで、電極接合部と蓋部材との間に第１板部を差し込むことができなくなることもない。その結果、絶縁カバーを傾けることなく導電部材に向けて移動させるだけで、絶縁カバーを導電部材に装着でき、その装着性を向上できる。
【００１２】
また、蓄電装置について、前記第１板部は、該第１板部の先端面から前記電極接合部に対向する面に向かって下り傾斜するガイド部を備えていてもよい。
これによれば、第１板部が電極接合部に向かうように絶縁カバーが傾き、第１板部のガイド部が電極接合部に接触した場合、そのまま絶縁カバーを積層方向他端側へ移動させると、ガイド部により、第１板部が電極接合部から離れて蓋部材に近付くように絶縁カバーを案内することができる。その結果、第１板部と電極接合部との干渉によって絶縁カバーの移動が妨げられず、絶縁カバーをスムーズに移動させやすくなる。
【００１３】
前記蓄電装置は二次電池である。
【発明の効果】
【００１４】
本発明によれば、絶縁カバーの装着性を向上できる。
【図面の簡単な説明】
【００１５】
【図１】実施形態の二次電池を示す分解斜視図。
【図２】実施形態の二次電池を示す部分側断面図。
【図３】実施形態の二次電池を示す部分正面図。
【図４】実施形態の内側絶縁部材及び導電部材を示す部分斜視図。
【図５】絶縁カバーを蓋端子組立体に装着する状態を示す側断面図。
【図６】（ａ）は絶縁カバーを蓋端子組立体に装着する状態を示す側面図、（ｂ）は第１板部と電極接合部を示す拡大図。
【図７】（ａ）は絶縁カバーを移動させ、傾いた状態を示す側面図、（ｂ）は第１板部と電極接合部を示す拡大図。
【発明を実施するための形態】
【００１６】
以下、蓄電装置を二次電池に具体化した一実施形態を図１〜図７にしたがって説明する。
図１又は図２に示すように、蓄電装置としての二次電池１０はケース１１を備え、ケース１１には電極組立体１２が収容されている。ケース１１は、電極組立体１２を収容する四角箱状のケース部材１４と、このケース部材１４の開口部１４ａを閉塞する矩形平板状の蓋部材１５とを有している。なお、本実施形態の二次電池１０はリチウムイオン電池である。蓋部材１５は、ケース部材１４の開口部１４ａの周縁に支持される矩形平板状の天板１５ａと、天板１５ａからケース部材１４に向けて突出する矩形状の嵌合部１５ｂとを有する。嵌合部１５ｂは、ケース部材１４の開口部１４ａに嵌合される。そして、天板１５ａの周縁とケース部材１４における開口部１４ａの周縁とが溶接されてケース部材１４と蓋部材１５が一体化されている。
【００１７】
図２に示すように、電極組立体１２は、シート状の複数の正極電極２１とシート状の複数の負極電極２２とを備え、正極電極２１と負極電極２２とは異なる極性の電極である。詳細に図示しないが、正極電極２１は、正極金属箔（本実施形態ではアルミニウム箔）と、その正極金属箔の両面に存在する正極活物質層とを有する。負極電極２２は、負極金属箔（本実施形態では銅箔）と、その負極金属箔の両面に存在する負極活物質層とを有する。そして、電極組立体１２は、複数の正極電極２１と複数の負極電極２２の間にこれらを絶縁するセパレータ２３を介在させて積層された積層型である。正極電極２１と負極電極２２が積層された方向を電極組立体１２の積層方向とする。
【００１８】
正極電極２１は、正極電極２１の一辺２１ａの一部から突出した形状のタブ２５を有する。負極電極２２は、負極電極２２の一辺２２ａの一部から突出した形状のタブ２６を有する。複数の正極のタブ２５、及び複数の負極のタブ２６は、正極電極２１及び負極電極２２が積層された状態で、正極のタブ２５と負極のタブ２６とが重ならない位置にそれぞれ設けられている。
【００１９】
電極組立体１２は、タブ側端面１２ａを備える。タブ側端面１２ａは、正極電極２１の一辺２１ａ、負極電極２２の一辺２２ａ、及びセパレータ２３の一辺を寄せ集めて形成されている。電極組立体１２を構成する各正極電極２１は、それぞれのタブ２５が積層方向に沿って列状に配置されるように積層される。同様に、電極組立体１２を構成する各負極電極２２は、それぞれのタブ２６が積層方向に沿って列状に配置されるように積層される。
【００２０】
図１に示すように、電極組立体１２は、タブ側端面１２ａから突出した正極のタブ群２７を有し、このタブ群２７は、全ての正極のタブ２５を電極組立体１２における積層方向に寄せ集め、積層して構成されている。また、電極組立体１２は、タブ側端面１２ａから突出した負極のタブ群２７を有し、このタブ群２７は、全ての負極のタブ２６を積層して構成されている。各極のタブ群２７は、積層方向一端側に各タブ２５，２６の先端が位置するように折り曲げられている。電極組立体１２及びタブ群２７は、絶縁フィルムＦによって覆われている。絶縁フィルムＦは、正極及び負極のタブ群２７を積層方向両側から覆っている。
【００２１】
図３に示すように、正極のタブ群２７には、電極組立体１２と、後述の正極端子構造１６とを電気的に接続するための導電部材２８が接合されている。また、負極のタブ群２７には、電極組立体１２と、後述の負極端子構造１７とを電気的に接続するための導電部材２８が接合されている。導電部材２８は、蓋部材１５の内面１５ｃと、タブ群２７が存在する電極組立体１２のタブ側端面１２ａとの間に配置されている。
【００２２】
図３又は図４に示すように、正極及び負極の導電部材２８は、蓋部材１５の長手方向へ長手が延びるクランク状であり、各極性の導電部材２８の短手は、電極組立体１２の積層方向へ延びる。正極及び負極の導電部材２８は、同じ極性のタブ群２７と接合された電極接合部２８ａを長手方向一端側に備える。
【００２３】
図６（ａ）に示すように、電極接合部２８ａは、蓋部材１５の内面１５ｃに対向する平坦面に第１端面２８ｅを備え、第１端面２８ｅに平行で、かつタブ群２７が接合される平坦面に第２端面２８ｆを備える。また、電極接合部２８ａは、第１端面２８ｅと第２端面２８ｆを繋ぐ縁に第３端面２８ｇを備え、第１端面２８ｅと第３端面２８ｇとが交わる位置に交点Ｘを備える。そして、第３端面２８ｇは、電極接合部２８ａにおいて積層方向の一端側に位置する端面である。
【００２４】
図３又は図４に示すように、正極及び負極の導電部材２８は、同じ極性の引出端子２９と接合された平板状の端子接合部２８ｂを長手方向他端側に備えるとともに、電極接合部２８ａと端子接合部２８ｂを繋ぐ連繋部２８ｃを備える。連繋部２８ｃにより、端子接合部２８ｂは、電極接合部２８ａよりも電極組立体１２寄りに位置している。導電部材２８の短手方向に沿った電極接合部２８ａ、端子接合部２８ｂ及び連繋部２８ｃの寸法はいずれも同じである。
【００２５】
次に、正極端子構造１６及び負極端子構造１７を説明する。なお、正極端子構造１６と負極端子構造１７は基本的に同じ構成であるため、共通の部材については、同じ部材番号を使用して説明する。
【００２６】
図１又は図３に示すように、正極端子構造１６及び負極端子構造１７は、それぞれ蓋部材１５に固定された電極端子としての引出端子２９を備える。引出端子２９は、各極性において導電部材２８の端子接合部２８ｂと電気的に接続され、電極組立体１２と電気を授受する。引出端子２９は、蓋部材１５より外側に突出している。正極端子構造１６及び負極端子構造１７は、蓋部材１５の外側で引出端子２９と電気的に接続された端子接合部材３０を備える。正極端子構造１６及び負極端子構造１７は、蓋部材１５の外側で、端子接合部材３０と電気的に接続された外部接続端子３１を備える。正極端子構造１６及び負極端子構造１７は、端子接合部材３０及び外部接続端子３１を蓋部材１５から絶縁する外側絶縁部材３２を蓋部材１５の外面に備える。
【００２７】
正極端子構造１６及び負極端子構造１７は、ケース１１の内側で引出端子２９及び端子接合部２８ｂを蓋部材１５から絶縁する絶縁部材としての内側絶縁部材３３を備える。内側絶縁部材３３は矩形板状である。
【００２８】
図２に示すように、内側絶縁部材３３は、電極組立体１２のタブ側端面１２ａから蓋部材１５に向けて凹む収容凹部３４を備える。収容凹部３４は、内側絶縁部材３３の四側面のうち、電極接合部２８ａ寄りの側面にて開口している。そして、収容凹部３４に端子接合部２８ｂのほぼ全体が収容され、内側絶縁部材３３におけるタブ側端面１２ａ寄りの一面３３ａと、端子接合部２８ｂにおけるタブ側端面１２ａ寄りの端面とが面一になっている。また、端子接合部２８ｂの一部、連繋部２８ｃ及び電極接合部２８ａが内側絶縁部材３３における端子接合部２８ｂ寄りの側面から突出している。
【００２９】
内側絶縁部材３３から突出した電極接合部２８ａにおいて、積層方向一端側に位置する第３端面２８ｇは、収容凹部３４を囲む内側絶縁部材３３の縁部の厚み分、内側絶縁部材３３における積層方向の一端側に位置する端面３３ｂよりも積層方向他端側へ離間した位置にある。図６（ａ）に示すように、本実施形態では、積層方向一端側に位置する内側絶縁部材３３の端面３３ｂと、積層方向の一端側に位置する電極接合部２８ａの第３端面２８ｇとは、積層方向に距離「ｂ」離間している。
【００３０】
次に、ケース１１内に設けられた樹脂製の絶縁カバー３５について説明する。
図１及び図２に示すように、絶縁カバー３５は、正極及び負極の導電部材２８に対し、積層方向の一端側から装着されている。絶縁カバー３５は、矩形板形状のタブ絶縁部３６を備える。タブ絶縁部３６は、積層方向一端側に位置する両極のタブ群２７の先端側を積層方向の外側から覆い、タブ絶縁部３６は、積層方向一端側において両極のタブ群２７の先端側とケース部材１４との間に介在する。よって、絶縁カバー３５は、積層方向一端側において両極のタブ群２７の先端側とケース部材１４とを絶縁する。
【００３１】
絶縁カバー３５は、蓋部材１５の長手方向に延びるタブ絶縁部３６の一対の長縁部のうち、蓋部材１５寄りの長縁部から積層方向に沿ってタブ絶縁部３６から突出した第１板部３７を備える。第１板部３７は、両極の導電部材２８の電極接合部２８ａと蓋部材１５の内面１５ｃとの間に介在し、両者を絶縁する。絶縁カバー３５の第１板部３７は、両極の電極接合部２８ａに支持されている。第１板部３７は、蓋部材１５の内面１５ｃに対向する平坦面に第１面３７ａを備え、第１面３７ａと平行な電極組立体１２側の面に第２面３７ｂを備える。また、第１板部３７は、タブ絶縁部３６からの突出方向の先端に先端面３７ｃを備える。
【００３２】
図５に示すように、絶縁カバー３５は、蓋部材１５の長手方向に延びるタブ絶縁部３６の一対の長縁部のうち、電極組立体１２寄りの他方の長縁部の両端部から積層方向に沿ってタブ絶縁部３６から突出した一対の第２板部３８を備える。各第２板部３８は、第１板部３７よりも電極組立体１２寄りに位置する。一方の第２板部３８は、正極端子構造１６における端子接合部２８ｂと、電極組立体１２のタブ側端面１２ａとの間に介在し、端子接合部２８ｂの一部を電極組立体１２側から覆う。他方の第２板部３８は、負極端子構造１７における端子接合部２８ｂと、電極組立体１２のタブ側端面１２ａとの間に介在し、端子接合部２８ｂの一部を電極組立体１２側から覆う。
【００３３】
図６（ａ）又は図６（ｂ）に示すように、第２板部３８は、蓋部材１５側の面であり、端子接合部２８ｂに対向する平坦面に第１面３８ａを備え、第１面３８ａと平行な電極組立体１２側の面に第２面３８ｂを備える。また、第２板部３８は、タブ絶縁部３６からの突出方向の先端に先端面３８ｃを備える。
【００３４】
絶縁カバー３５において、タブ絶縁部３６からの第１板部３７の突出方向へ寸法は、タブ絶縁部３６からの第２板部３８の突出方向への寸法より長い。そして、絶縁カバー３５において、タブ絶縁部３６の短手方向を高さ方向とすると、絶縁カバー３５を長手方向に見た側面視では、第１板部３７の先端面３７ｃは、第２板部３８の先端面３８ｃより突出している。そして、第１板部３７の先端面３７ｃと、第２板部３８の先端面３８ｃとの積層方向に沿った距離をａとすると、突出方向に沿って先端面３７ｃと先端面３８ｃは距離ａ離れている。この距離ａは、上記した内側絶縁部材３３の端面３３ｂと、電極接合部２８ａの第３端面２８ｇとの積層方向に沿った距離ｂより長い。よって、ａ＞ｂが成立している。
【００３５】
そして、第１板部３７は、第２板部３８よりも距離ａだけ長い。また、第１板部３７及び第２板部３８の突出方向（積層方向）への長さは、ケース部材１４の短手方向に対向する内面間の距離Ｋ（図２参照）によって決まる。これは、距離Ｋよりも第１板部３７及び第２板部３８が長くなると、絶縁カバー３５をケース部材１４内に収容できないためである。
【００３６】
絶縁カバー３５は、第１板部３７の先端面３７ｃ側にガイド部３９を備える。ガイド部３９は、第１板部３７の先端面３７ｃから積層方向（突出方向）に沿ってタブ絶縁部３６（積層方向の一端）に向かうに従い、第１板部３７の厚みが徐々に厚くなるように下り傾斜するテーパ状である。よって、ガイド部３９は、第１板部３７の先端面３７ｃから、第１板部３７が対向する電極接合部２８ａの第１端面２８ｅに向かって下り傾斜する。ガイド部３９において、先端面３７ｃと交わる点を交点Ａとし、第２面３７ｂと交わる点を交点Ｂとする。
【００３７】
絶縁カバー３５は、各第２板部３８におけるタブ絶縁部３６からの突出端となる先端面３８ｃ側に係止爪４０を備える。係止爪４０は、各第２板部３８の第１面３８ａから第１板部３７に向けて突出する。各係止爪４０は、第２板部３８の先端面３８ｃからタブ絶縁部３６に向かうに従い第１板部３７（蓋部材１５）に近付くように上り傾斜する傾斜面４０ａを備える。また、第２板部３８は、係止爪４０の傾斜面４０ａと、第２面３８ｂとを繋ぐ面に先端面３８ｃを備える。第２板部３８において、係止爪４０と先端面３８ｃとが交わる点を原点Ｏとする。また、傾斜面４０ａの傾斜角度はθである。
【００３８】
図３に示すように、一方の係止爪４０は、正極の導電部材２８の端子接合部２８ｂを絶縁した内側絶縁部材３３において、積層方向他端に位置した側面に係止している。他方の係止爪４０は、負極の導電部材２８の端子接合部２８ｂを絶縁した内側絶縁部材３３において、積層方向他端に位置した側面に係止している。各内側絶縁部材３３に対する係止爪４０の係止により、絶縁カバー３５が積層方向一端側に移動することが規制されている。
【００３９】
次に、二次電池１０の製造方法を記載する。
まず、図５に示すように、蓋部材１５に、引出端子２９、端子接合部材３０、外部接続端子３１、外側絶縁部材３２、及び内側絶縁部材３３が組付けられ、正極端子構造１６及び負極端子構造１７が形成されるとともに、蓋端子組立体２０が形成される。
【００４０】
そして、正極の導電部材２８の電極接合部２８ａに対し、電極組立体１２の正極のタブ群２７が溶接によって接合され、負極の導電部材２８の電極接合部２８ａに対し、負極のタブ群２７が溶接によって接合される。すると、蓋端子組立体２０と電極組立体１２が一体化される。
【００４１】
次に、蓋端子組立体２０の蓋部材１５と電極接合部２８ａとの間に絶縁カバー３５の第１板部３７が対向するように、絶縁カバー３５の第２板部３８を挿入用治具５０が備える平坦な載置面５０ａに載せる。そして、載置面５０ａに載置された絶縁カバー３５を押圧治具５１によって蓋端子組立体２０に向けて押圧し、絶縁カバー３５を蓋端子組立体２０に向けて移動させる。
【００４２】
蓋部材１５と電極接合部２８ａとの間に第１板部３７を差し込む。このとき、第１板部３７は、第２板部３８よりも距離ａ長く、しかも、距離ａは、内側絶縁部材３３の端面３３ｂと電極接合部２８ａの第３端面２８ｇとの距離ｂよりも長い（ａ＞ｂ）。このため、第２板部３８の先端面３８ｃが内側絶縁部材３３の端面３３ｂに干渉する前に、蓋部材１５の内面１５ｃと電極接合部２８ａの第１端面２８ｅとの間に、第１板部３７が差し込まれる。その後、絶縁カバー３５を積層方向他端側に移動させると、両方の電極接合部２８ａに第１板部３７が支持される。第１板部３７が電極接合部２８ａに支持された状態で、押圧治具５１により、絶縁カバー３５を積層方向他端側に向けてさらに移動させる。そして、各係止爪４０の傾斜面４０ａが、内側絶縁部材３３における積層方向の一端縁に摺接しながら通過し、その後、係止爪４０が各極性の内側絶縁部材３３における積層方向他端の側面に係止する。
【００４３】
すると、絶縁カバー３５が積層方向一端側に移動することが規制され、蓋端子組立体２０から絶縁カバー３５が抜け出ることが規制される。その結果、絶縁カバー３５の第１板部３７が、電極接合部２８ａと蓋部材１５との間に介在した状態となる。
【００４４】
そして、電極組立体１２をケース部材１４の開口部１４ａからケース部材１４内に挿入する。電極組立体１２がケース部材１４内に挿入された後、蓋部材１５をケース部材１４の開口端に接合すると、二次電池１０が組み立てられる。
【００４５】
次に、第１板部３７と第２板部３８について詳細に説明する。
図６（ａ）及び図６（ｂ）に示すように、絶縁カバー３５において、タブ絶縁部３６から第１板部３７及び第２板部３８が突出する方向を突出方向とする。また、上記したが、絶縁カバー３５において、タブ絶縁部３６の短手方向を高さ方向とする。
【００４６】
第２板部３８の係止爪４０において、突出方向に沿った係止爪４０の寸法を長さｃ１とする。また、高さ方向に沿った係止爪４０の寸法を高さｃ２とする。第１板部３７のガイド部３９において、突出方向に沿ったガイド部３９の寸法をｃ３とし、高さ方向に沿ったガイド部３９の寸法を高さｃ４とする。なお、突出方向に沿ったガイド部３９の寸法ｃ３は、第１板部３７の先端面３７ｃと、第２板部３８の先端面３８ｃとの積層方向に沿った距離ａと等しくなる（ｃ３＝ａ）。また、係止爪４０において、第１面３８ａと傾斜面４０ａとがなす角度をθとする。
【００４７】
絶縁カバー３５において、第１板部３７と第２板部３８の対向面（第２面３７ｂと第１面３８ａ）同士間の距離をｄとする。また、絶縁カバー３５の第２板部３８が挿入用治具５０の載置面５０ａに載置された状態において、挿入用治具５０の先端面５０ｂから第２板部３８の先端面３８ｃまでの距離をＬとする。
【００４８】
蓋端子組立体２０の導電部材２８に絶縁カバー３５を装着するため、挿入用治具５０に載置された絶縁カバー３５が押圧治具５１によって押圧され、第２板部３８の先端面３８ｃが内側絶縁部材３３における積層方向一端側の端面３３ｂに到達した時点において、原点Ｏを基準としたガイド部３９の位置を、突出方向及び高さ方向の座標で表す。
【００４９】
まず、電極接合部２８ａの交点Ｘにおいて、原点Ｏを基準とした位置を突出方向及び高さ方向の座標（突出方向の位置、高さ方向の位置）で表す。
交点Ｘは、突出方向において、内側絶縁部材３３における積層方向一端側の端面３３ｂから、突出方向に沿って電極接合部２８ａの第３端面２８ｇまでの距離ｂだけ離れているため、交点Ｘの突出方向の座標は「ｂ」として表される。また、交点Ｘは、内側絶縁部材３３の電極組立体１２側の一面３３ａから第１端面２８ｅまでの距離ｅだけ離れているため、交点Ｘの高さ方向の座標は「ｅ」として表される。したがって、交点Ｘの座標は、（ｂ，ｅ）となる。
【００５０】
次に、原点Ｏを基準とした交点Ａの位置を突出方向及び高さ方向の座標（突出方向の位置、高さ方向の位置）で表す。第２板部３８の先端面３８ｃが内側絶縁部材３３の端面３３ｂに到達した時点において、第１板部３７の先端面３７ｃは、さらに第２板部３８の先端面３８ｃから距離ａだけ離れているため、交点Ａの突出方向の座標は「ａ」として表される。一方、高さ方向において、交点Ａは、第２板部３８の第１面３８ａから、距離ｄと高さｃ４だけ離れているため、交点Ａの高さ方向の座標は「ｄ＋ｃ４」で表される。したがって、交点Ａの座標は、（ａ，ｄ＋ｃ４）となる。
【００５１】
次に、原点Ｏを基準とした交点Ｂの位置を突出方向及び高さ方向の座標（突出方向の位置、高さ方向の位置）で表す。第２板部３８の先端面３８ｃが内側絶縁部材３３の端面３３ｂに到達した時点において、交点Ｂは、第１板部３７の先端面３７ｃからガイド部３９の突出方向へｃ３だけ離れているため、交点Ｂの突出方向の座標は「ａ−ｃ３」として表される。一方、高さ方向において、交点Ｂは、第２板部３８の第１面３８ａから距離ｄだけ離れているため、交点Ｂの高さ方向の座標は「ｄ」で表される。したがって、交点Ｂの座標は、（ａ−ｃ３，ｄ）となる。
【００５２】
次に、図７（ａ）及び図７（ｂ）に示すように、絶縁カバー３５がΔｔ１（ゼロではない）だけ積層方向他端側に移動したとき、第１板部３７が電極接合部２８ａに近付くように、絶縁カバー３５が角度θ０だけ傾き、原点Ｏが高さ方向へΔｔ２移動したときについて説明する。
【００５３】
このとき、交点Ａは突出方向にΔｔ１移動しているため、交点Ａの突出方向の座標は「ａ＋Δｔ１」で表される。また、交点Ａは高さ方向に沿って電極接合部２８ａ側へΔｔ２だけ移動しているため、交点Ａの高さ方向の座標は「ｄ＋ｃ４−Δｔ２」と表される。したがって、絶縁カバー３５が移動し、傾いたときの交点Ａの座標は、（ａ＋Δｔ１，ｄ＋ｃ４−Δｔ２）となる。
【００５４】
したがって、第１板部３７を電極接合部２８ａと蓋部材１５との間の隙間に差し込み可能とするには、交点Ａの突出方向の座標が、電極接合部２８ａの交点Ｘの突出方向の座標より大きくなり、かつ、交点Ａの高さ方向の座標が、交点Ｘの高さ方向の座標より大きい必要がある。したがって、以下の式３及び式４が成立する。
【００５５】
ａ＋Δｔ１＞ｂ…式３（突出方向の座標）
ｄ＋ｃ４−Δｔ２＞ｅ…式４（高さ方向の座標）
式３を整理すると、式５が成立し、式４を整理すると、式６が成立する。
【００５６】
Δｔ１＞ｂ−ａ…式５
Δｔ２＜ｄ＋ｃ４−ｅ…式６
したがって、式５及び式６が成立するように、距離ａ、距離ｂ、距離ｄ、距離ｅ、ガイド部３９の高さｃ４、突出方向への移動量Δｔ１、及び高さ方向への移動量Δｔ２を決める。すると、係止爪４０が内側絶縁部材３３における積層方向一端側の端面３３ｂに干渉する前に、絶縁カバー３５の第１板部３７を電極接合部２８ａと蓋部材１５の間に差し込むことができる。
【００５７】
また、第１板部３７が電極接合部２８ａに近付くように、絶縁カバー３５が角度θ０だけ傾き、原点Ｏが高さ方向へΔｔ２移動したとき、交点Ｂは突出方向にΔｔ１移動しているため、交点Ｂの突出方向の座標は「ａ−ｃ３＋Δｔ１」で表される。また、交点Ｂは高さ方向に沿って電極接合部２８ａ側へΔｔ２だけ移動しているため、交点Ｂの高さ方向の座標は「ｄ−Δｔ２」と表される。したがって、絶縁カバー３５が移動し、傾いたときの交点Ｂの座標は、（ａ−ｃ３＋Δｔ１、ｄ−Δｔ２）となる。
【００５８】
ここで、絶縁カバー３５が積層方向他端側へ移動し、かつ傾いたときの突出方向への移動量Δｔ１と、高さ方向への移動量Δｔ２は以下のように定義できる。
ガイド部３９と、電極接合部２８ａの交点Ｘとが接触するときの突出方向への移動量Δｔ１は、交点Ａと交点Ｂを結ぶ仮想平面Ｃと、交点Ｘが接するときの条件であるため、以下の式７で定義される。突出方向の座標を「ｘ」、高さ方向の座標を「ｙ」とする。
【００５９】
ｙ＝（ｄ＋ｃ４−Δｔ２）−（ｄ−Δｔ２）／（ａ＋Δｔ１）−（ａ−ｃ３＋Δｔ１）×｛（ｘ−ａ−Δｔ１）＋ｄ＋ｃ４＋Δｔ２｝…式７
式７を整理すると、式８が成立する。
【００６０】
ｙ＝ｃ４／ｃ３×｛（ｘ−ａ−Δｔ１）＋ｄ＋ｃ４＋Δｔ２｝…式８
式８に交点Ｘの座標（ｂ，ｅ）を代入すると以下の式９が得られる。
ｅ＝ｃ４／ｃ３×｛（ｂ−ａ−Δｔ１）＋ｄ＋ｃ４＋Δｔ２｝…式９
また、絶縁カバー３５が突出方向へΔｔ１移動し、かつ高さ方向へΔｔ２移動したとき、挿入用治具５０の先端面５０ｂから第２板部３８の先端面３８ｃまでの距離は「Ｌ＋Δｔ１」で表される。このとき、先端面５０ｂから第２板部３８の先端面３８ｃまでの距離と、角度θ０だけ傾いたときの高さ方向の傾き量との比は、以下の式１０及び式１１で表される。
【００６１】
ｔａｎθ＝Δｔ２／（Ｌ＋Δｔ１）…式１０
ｔａｎ（θ＋θ０）＝Δｔ２／Δｔ１…式１１
よって、上記式９、式１０及び式１１から、角度θ０だけ絶縁カバー３５が傾いたときのΔｔ１及びΔｔ２は一義的に決まる。
【００６２】
そして、絶縁カバー３５が積層方向他端側に向けて突出方向へΔｔ１移動し、かつ電極接合部２８ａに向けて角度θ０傾き、高さ方向へΔｔ２移動した状態で、式５及び式６が成立する条件では、第１板部３７のガイド部３９に電極接合部２８ａが接触する。すなわち、第１板部３７が電極接合部２８ａに載った時点では、係止爪４０は内側絶縁部材３３の端面３３ｂに干渉しない。よって、そのまま絶縁カバー３５を積層方向他端側へ移動させると、絶縁カバー３５を電極接合部２８ａに支持させ、装着することが可能になる。
【００６３】
次に、二次電池１０の作用を記載する。
電極組立体１２の積層方向一端側から他端側に向けて絶縁カバー３５を移動させ、蓋部材１５と電極接合部２８ａとの間に第１板部３７を差し込む。このとき、各係止爪４０が、各極性の内側絶縁部材３３の端面３３ｂに干渉する前に、第１板部３７の先端面３７ｃ側が電極接合部２８ａの第１端面２８ｅに支持される。このため、蓋部材１５と電極接合部２８ａとの間に第１板部３７を差し込んだ時点で、係止爪４０が端子接合部２８ｂに接触しない。
【００６４】
また、絶縁カバー３５が角度θ０だけ傾いても、ガイド部３９に電極接合部２８ａの交点Ｘが接触し、ガイド部３９の傾斜により、第１板部３７が蓋部材１５に向かうようにガイドされる。
【００６５】
上記実施形態によれば、以下のような効果を得ることができる。
（１）絶縁カバー３５において、第２板部３８の先端面３８ｃから第１板部３７の先端面３７ｃまでの距離ａを、内側絶縁部材３３の端面３３ｂから電極接合部２８ａの第３端面２８ｇまでの距離ｂより長くした（ａ＞ｂ）。このため、各極性の内側絶縁部材３３の端面３３ｂに係止爪４０が干渉する前に、電極接合部２８ａと蓋部材１５との間に第１板部３７を差し込むことができる。よって、係止爪４０と内側絶縁部材３３との干渉を回避するために絶縁カバー３５を傾ける必要がなく、絶縁カバー３５を傾けることで、電極接合部２８ａと蓋部材１５との間に第１板部３７を差し込むことができなくなることもない。その結果、絶縁カバー３５を傾けることなく蓋端子組立体２０に向けて移動させるだけで、絶縁カバー３５を蓋端子組立体２０に装着できる。
【００６６】
（２）突出方向（積層方向）への絶縁カバー３５の移動量（Δｔ１）及び高さ方向への絶縁カバー３５の移動量（Δｔ２）と、交点Ａと交点Ｘの位置関係について式５及び式６が成立するようにした。このため、絶縁カバー３５が傾いたとしても、係止爪４０と内側絶縁部材３３が干渉する前に、電極接合部２８ａと蓋部材１５の間に第１板部３７が差し込むことができる。
【００６７】
（３）絶縁カバー３５の第１板部３７に、その先端面３７ｃから第２面３７ｂに向けて下り傾斜するガイド部３９を設けた。そして、絶縁カバー３５が傾いたとき、電極接合部２８ａの交点Ｘにガイド部３９を接触させ、ガイド部３９により、第１板部３７が電極接合部２８ａから離れて蓋部材１５に近付くように案内させることができ、絶縁カバー３５をスムーズに移動させやすくなる。
【００６８】
なお、上記実施形態は以下のように変更してもよい。
○  実施形態では、ｃ３＝ａとなるように、ガイド部３９を設定したが、ガイド部３９の突出方向への寸法ｃ３は、距離ａと等しくなくてもよい。
【００６９】
○  Δｔ１＝０及びΔｔ２＝０の場合、すなわち、絶縁カバー３５が積層方向他端側に向けて移動せず、かつ傾かない場合であっても、式５及び式６が成立するように、距離ａ、距離ｂ、距離ｄ、距離ｅ、及び高さｃ４を決める。すると、係止爪４０が内側絶縁部材３３の端面３３ｂに干渉する前に、絶縁カバー３５の第１板部３７を電極接合部２８ａと蓋部材１５の間に差し込むことができる。
【００７０】
○  第１板部３７のガイド部３９は無くてもよい。
○  第１板部３７のガイド部３９は円弧面であってもよい。
○  正極電極２１及び負極電極２２は、金属箔の片面に活物質層が存在する構造でもよい。
【００７１】
○  蓄電装置は、例えばキャパシタなど、二次電池以外の蓄電装置にも適用可能である。
○  二次電池１０は、リチウムイオン二次電池以外の他の二次電池であってもよい。要は、正極用の活物質と負極用の活物質との間をイオンが移動するとともに電荷の享受を行うものであればよい。
【００７２】
○  二次電池１０は、電極組立体１２の積層方向一端側に配置される絶縁カバー３５だけでなく、電極組立体１２の積層方向他端側に配置される絶縁カバーを備えていてもよい。
【００７３】
次に、上記実施形態及び別例から把握できる技術的思想について以下に追記する。
（１）前記ガイド部はテーパ面である蓄電装置。
（２）前記ガイド部は円弧面である蓄電装置。これによれば、絶縁カバーが傾いたとき、電極接合部にガイド部を接触させ、ガイド部により、第１板部が電極接合部から離れて蓋部材に近付くようにスムーズに案内させることができる。
【符号の説明】
【００７４】
ａ，ｂ…距離、１０…蓄電装置としての二次電池、１１…ケース、１２…電極組立体、１２ａ…タブ側端面、１４…ケース部材、１４ａ…開口部、１５…蓋部材、１５ｃ…内面、２１…正極電極、２２…負極電極、２５，２６…タブ、２７…タブ群、２８…導電部材、２８ａ…電極接合部、２８ｂ…端子接合部、２８ｇ…第３端面、２９…電極端子としての引出端子、３３…絶縁部材としての内側絶縁部材、３３ｂ…端面、３５…絶縁カバー、３６…タブ絶縁部、３７…第１板部、３７ｃ…先端面、３８…第２板部、３８ｃ…先端面、３９…ガイド部、４０…係止爪。
【図１】
2019121436.tif 000003
【図２】
2019121436.tif 000004
【図３】
2019121436.tif 000005
【図４】
2019121436.tif 000006
【図５】
2019121436.tif 000007
【図６】
2019121436.tif 000008
【図７】
2019121436.tif 000009